(57)【要約】【課題】給電点から接地点までの直流インピーダンスが０Ωであるアンテナが接続される場合に、接続状態を明確に検査することができるアンテナ検査回路を提供する。【解決手段】アンテナ接続入力端子１と、検査要求入力端子２と、検査結果出力端子３と、制御端７ａが検査要求入力端子２に接続され、入力端７ｂがアンテナ接続入力端子１に接続され、出力端７ｃが検査結果出力端子３に接続されたスイッチング素子７と、検査要求入力端子２と検査結果出力端子３との間に接続された第１抵抗１１と、を備え、アンテナ５１は、給電点から接地点までの直流インピーダンスが０Ωであり、検査要求入力端子２にハイレベルの検査要求信号を印加した時に、アンテナ５１が接続されている場合にはスイッチング素子７がオンとなり、アンテナ５１が接続されていない場合にはスイッチング素子７がオフとなって、検査結果出力端子３にそれぞれ異なった検査結果信号が出力される。【選択図】図１
2015142278.tif 000002
【特許請求の範囲】
【請求項１】
アンテナ接続端子を有する通信機器に内蔵され、アンテナの接続状態を検査するアンテナ検査回路であって、
前記アンテナ接続端子に接続されたアンテナ接続入力端子と、ハイレベル又はローレベルの検査要求信号が入力される検査要求入力端子と、検査結果が出力される検査結果出力端子と、制御端が前記検査要求入力端子に接続され、入力端が前記アンテナ接続入力端子に接続され、出力端が前記検査結果出力端子に接続されたスイッチング素子と、前記検査要求入力端子と前記検査結果出力端子との間に接続された第１抵抗と、を備え、
前記アンテナは、接地点を有すると共に給電点から接地点までの直流インピーダンスが０Ωであり、
前記検査要求入力端子にハイレベルの検査要求信号を印加した時に、前記アンテナ接続端子に前記アンテナが接続されている場合には前記スイッチング素子がオンとなって、前記検査結果出力端子にローレベルの信号が出力され、前記アンテナ接続端子に前記アンテナが接続されていない場合には前記スイッチング素子がオフとなって、前記検査結果出力端子にハイレベルの信号が出力される、
ことを特徴とするアンテナ検査回路。
【請求項２】
前記スイッチング素子が、前記入力端としてエミッタを有し、前記出力端としてコレクタを有したバイポーラ型のトランジスタである、
ことを特徴とする請求項１に記載のアンテナ検査回路。
【請求項３】
前記コレクタを前記検査結果出力端子に接続し、
前記エミッタと前記アンテナ接続入力端子との間に、前記第１抵抗の抵抗値より抵抗値の小さい第２抵抗を接続し、
前記トランジスタのベースと前記検査要求入力端子との間に、前記第２抵抗の抵抗値より抵抗値の大きい第３抵抗を接続した、
ことを特徴とする請求項２に記載のアンテナ検査回路。
【発明の詳細な説明】
【技術分野】
【０００１】
本発明は、アンテナが接続される通信機器に内蔵され、アンテナの接続状態を検査するアンテナ検査回路に関する。
【背景技術】
【０００２】
車両等に搭載された無線ＬＡＮ（Local Area Network）システムなどに用いられる通信機器において、電波を最適に送受信するためにはアンテナが正常に接続されていることが重要である。このような通信機器には、アンテナの接続状態が正常であるか否かを検査するアンテナ検査回路が組み込まれることがある。
【０００３】
このような通信機器の従来例を図５に示す。特許文献１に記載された無線通信装置９００は、給電点が端子９１２に接続され、到来する電波を受信するアンテナ９１０と受信機９３０とが信号線９５２によって接続されている無線通信装置であって、信号線９５２に内部抵抗９４２を介して直流信号を印加する直流信号印加手段を有した信号解析部９３２を備えている。直流信号印加手段の作動時において、内部抵抗９４２の直流信号印加手段とは逆の側における電圧、即ち出力端子９４３の電圧が閾値以上であるか否かを判定することにより、信号線９５２に断線又は接続不良が生じているか否かを検査する。このように構成することにより、無線通信装置９００は、信号線９５２の断線やアンテナ９１０の接続不良に関する検査を適切に行なうことができるとしている。
【先行技術文献】
【特許文献】
【０００４】
【特許文献１】特開２０１０−０１０８４１号公報
【発明の概要】
【発明が解決しようとする課題】
【０００５】
しかしながら、無線通信装置９００においては、端子９１２に接続されるアンテナ９１０として接地点を持たないアンテナを想定しており、接地点を有し、給電点から接地点までの直流インピーダンスが０Ωであるようなアンテナ、例えば逆Ｆ型アンテナが接続された場合には接続状態を正確に検査することができなかった。
【０００６】
本発明は、このような従来技術の実情に鑑みてなされたもので、その目的は、接地点を有すると共に、給電点から接地点までの直流インピーダンスが０Ωであるようなアンテナが接続される場合において、接続状態を正確に検査することができるアンテナ検査回路を提供することにある。
【課題を解決するための手段】
【０００７】
この課題を解決するために、本発明のアンテナ検査回路は、アンテナ接続端子を有する通信機器に内蔵され、アンテナの接続状態を検査するアンテナ検査回路であって、前記アンテナ接続端子に接続されたアンテナ接続入力端子と、ハイレベル又はローレベルの検査要求信号が入力される検査要求入力端子と、検査結果が出力される検査結果出力端子と、制御端が前記検査要求入力端子に接続され、入力端が前記アンテナ接続入力端子に接続され、出力端が前記検査結果出力端子に接続されたスイッチング素子と、前記検査要求入力端子と前記検査結果出力端子との間に接続された第１抵抗と、を備え、前記アンテナは、接地点を有すると共に給電点から接地点までの直流インピーダンスが０Ωであり、前記検査要求入力端子にハイレベルの検査要求信号を印加した時に、前記アンテナ接続端子に前記アンテナが接続されている場合には前記スイッチング素子がオンとなって、前記検査結果出力端子にローレベルの信号が出力され、前記アンテナ接続端子に前記アンテナが接続されていない場合には前記スイッチング素子がオフとなって、前記検査結果出力端子にハイレベルの信号が出力される、という特徴を有する。
【０００８】
このように構成されたアンテナ検査回路は、アンテナが接続されている場合にはアンテナを介して検査結果出力端子にローレベルの電圧を出力し、アンテナが接続されていない場合には第１抵抗を介して検査結果出力端子にハイレベルの電圧を供給するように構成したので、給電点から接地点までの直流インピーダンスが０Ωであるアンテナに対して接続状態を正確に検査することができる。
【０００９】
また、上記の構成において、本発明のアンテナ検査回路は、前記スイッチング素子が、前記入力端としてエミッタを有し、前記出力端としてコレクタを有したバイポーラ型のトランジスタである、という特徴を有する。
【００１０】
このように構成されたアンテナ検査回路は、入力端としてエミッタを有し、出力端としてコレクタを有したバイポーラ型のトランジスタをスイッチング素子として使用したので、アンテナ接続端子に電源電圧を越えるような高電圧が誤って加えられた場合に、この高電圧がトランジスタで阻止され、通信機器内の各回路に印加されることがない。そのため、通信機器内の各回路を保護することができる。
【００１１】
また、上記の構成において、本発明のアンテナ検査回路は、前記コレクタを前記検査結果出力端子に接続し、前記エミッタと前記アンテナ接続入力端子との間に、前記第１抵抗の抵抗値より抵抗値の小さい第２抵抗を接続し、前記トランジスタのベースと前記検査要求入力端子との間に、前記第２抵抗の抵抗値より抵抗値の大きい第３抵抗を接続した、という特徴を有する。
【００１２】
このように構成されたアンテナ検査回路は、回路構成部品として３本の抵抗と１本のトランジスタとを使用するだけであるため、アンテナ検査回路を小規模な回路構成で実現させることができる。
【発明の効果】
【００１３】
本発明のアンテナ検査回路は、アンテナが接続されている場合にはアンテナを介して検査結果出力端子にローレベルの電圧を出力し、アンテナが接続されていない場合には第１抵抗を介して検査結果出力端子にハイレベルの電圧を供給するように構成したので、給電点から接地点までの直流インピーダンスが０Ωであるアンテナに対して接続状態を正確に検査することができる。
【図面の簡単な説明】
【００１４】
【図１】本発明の実施形態に係るアンテナ検査回路を示す回路図である。
【図２】アンテナの構成を示す模式図である。
【図３】本発明の実施形態に係るアンテナ検査回路の回路図である。
【図４】スイッチング素子の状態及び検査結果を示す表である。
【図５】従来例に係る無線通信装置のブロック図である。
【発明を実施するための形態】
【００１５】
［実施形態］
以下、本発明の実施形態について、図面を参照しながら説明する。
【００１６】
図１は、本発明の実施形態に係るアンテナ検査回路１００の回路図及びアンテナ検査回路１００を内蔵した通信機器４０のブロック図であり、図２は、アンテナ５１の構成を示す模式図である。図３は、アンテナ検査回路２００の回路図及びアンテナ検査回路２００を内蔵した通信機器６０のブロック図である。また、図４は、図３に示すトランジスタ１７の状態及び検査結果を示す表である。
【００１７】
図１に示すように、本発明の実施形態に係るアンテナ検査回路１００は通信機器４０に内蔵されている。通信機器４０には、アンテナ検査回路１００の他に電源回路１０とアンテナ接続状態判定回路２０と通信回路３０とが内蔵されている。
【００１８】
通信機器４０はアンテナ接続端子４１を有しており、アンテナ接続端子４１には接続状態の検査が行われるアンテナ５１が接続される。また、通信回路３０は高周波入出力端子３１を有し、高周波入出力端子３１がキャパシタ４２を介してアンテナ接続端子４１に接続されている。通信回路３０は半導体素子（図示せず）等で構成されており、他の通信機器との間で送受信を行うことができるように構成されている。アンテナ接続端子４１と高周波入出力端子３１との間に接続されているキャパシタ４２は、通信回路３０とアンテナ検査回路１００及びアンテナ５１とを直流的に遮断している。
【００１９】
アンテナ接続状態判定回路２０は、検査要求出力端子２２と検査結果入力端子２３とを有している。アンテナ接続状態判定回路２０は半導体素子（図示せず）等で構成されており、検査要求出力端子２２からハイレベル又はローレベルの検査要求信号をアンテナ検査回路１００に印加してアンテナ検査回路１００にアンテナ５１の接続状態を検査させる。また、検査結果入力端子２３に入力される検査結果信号のレベルを検知してアンテナ５１の接続状態を判定することができる。
【００２０】
アンテナ検査回路１００は、アンテナ接続端子４１に接続されたアンテナ接続入力端子１と、ハイレベル又はローレベルの検査要求信号がアンテナ接続状態判定回路２０の検査要求出力端子２２から入力される検査要求入力端子２と、検査によって得られた検査結果信号が出力される検査結果出力端子３と、を備えている。
【００２１】
アンテナ検査回路１００の内部には、制御端７ａと入力端７ｂと出力端７ｃとを有するスイッチング素子７と、第１抵抗１１と、を備えている。スイッチング素子７は、その制御端７ａが検査要求入力端子２に接続され、入力端７ｂがアンテナ接続入力端子１に接続され、出力端７ｃが検査結果出力端子３に接続されている。スイッチング素子７は、制御端７ａと入力端７ｂとの間の電圧差が所定の電圧差以上である場合、オンとなるような素子であり、制御端７ａと入力端７ｂとの間の電圧差が所定の電圧差以上でない場合、オフとなるような素子である。第１抵抗１１は、検査要求入力端子２と検査結果出力端子３との間に接続されている。
【００２２】
アンテナ接続状態判定回路２０や通信回路３０には、電源回路１０から電源電圧Ｖｄｄが供給される。Ｖｄｄの電圧値としては、例えば５Ｖや３．５Ｖ等の電圧値が選ばれる。尚、アンテナ検査回路１００は、電源回路１０から電源電圧Ｖｄｄが供給される必要がないように構成されている。
【００２３】
アンテナ５１は、図２に示すように逆Ｆ型アンテナ５１ａとして構成されている。逆Ｆ型アンテナ５１ａは、金属導体からなるアンテナ導体部５１ｂと給電点５１ｃと接地点５１ｄと開放端５１ｅとを備えていて、アンテナ接続端子４１から給電点５１ｃに給電され、接地点５１ｄにおいて接地される。逆Ｆ型アンテナ５１ａであるアンテナ５１は、所定の特性インピーダンスを有しており、通信回路３０との間で整合が取れるように構成されている。尚、給電点５１ｃと接地点５１ｄとがアンテナ導体部５１ｂによって金属導体で接続されているため、アンテナ５１の給電点５１ｃから接地点５１ｄまでの直流インピーダンスは０Ωとなる。言い換えれば、アンテナ接続端子４１にアンテナ５１が接続された場合、アンテナ接続端子４１は直流的に接地される。
【００２４】
アンテナ接続状態を検査する場合の、図１に示すアンテナ検査回路１００の動作について図１及び図２を用いて説明する。
【００２５】
アンテナ接続状態を検査する場合、アンテナ接続状態判定回路２０の検査要求出力端子２２から検査要求入力端子２にハイレベルの検査要求信号を印加する。尚、アンテナ接続状態を検査しない場合即ち通常時には、アンテナ接続状態判定回路２０の検査要求出力端子２２から検査要求入力端子２にローレベルの検査要求信号を印加しておく。従ってアンテナ接続状態を検査する時、スイッチング素子７の制御端７ａの電圧はハイレベルの電圧となっている。尚、ハイレベルの電圧とは、所定の閾値以上の電圧であり、ローレベルの電圧とは、所定の閾値未満の電圧である。具体的には、ハイレベルの電圧値は、ハイレベルであると明確に判定できる電圧値、例えば電源電圧Ｖｄｄと同一か又は、電源電圧Ｖｄｄに近い値に設定される。また、ローレベルの検査要求信号の電圧値は、ローレベルであると明確に判定できる電圧値、例えば接地電圧と同一か又は、接地電圧に近い値に設定される。
【００２６】
アンテナ接続端子４１にアンテナ５１が接続されている場合には、スイッチング素子７の入力端７ｂの電圧は、アンテナ５１の給電点５１ｃから接地点５１ｄまでの直流インピーダンス、即ち入力端７ｂから見たアンテナ５１側の直流インピーダンスが０Ωであるため接地電圧と同じである。スイッチング素子７は、制御端７ａの電圧がハイレベルの電圧で入力端７ｂの電圧がローレベルの電圧である場合、即ち制御端７ａと入力端７ｂとの電圧差が所定の電圧差以上の場合にオンとなるような素子であるため、アンテナ接続端子４１にアンテナ５１が接続されている場合には、スイッチング素子７がオンとなる。そのため、スイッチング素子７の出力端７ｃにはアンテナ５１を介して接地電圧に近い電圧が供給されるため、検査結果出力端子３にローレベルの信号が出力される。
【００２７】
一方、アンテナ接続端子４１にアンテナ５１が接続されていない場合には、スイッチング素子７の入力端７ｂは開放状態になっているため、制御端７ａと入力端７ｂとの間に電圧差は生じない。スイッチング素子７は、制御端７ａと入力端７ｂとの間の電圧差が所定の電圧差以上でない場合、オフとなるような素子であるため、アンテナ接続端子４１にアンテナ５１が接続されていない場合には、スイッチング素子７がオフとなる。そのため、スイッチング素子７の出力端７ｃには、第１抵抗１１を介して検査要求入力端子２に印加されたハイレベルの電圧が現れる。従って、検査結果出力端子３にハイレベルの信号が出力される。
【００２８】
尚、アンテナ接続状態を検査しない場合即ち通常の場合には、前述したように、アンテナ接続状態判定回路２０の検査要求出力端子２２から検査要求入力端子２にローレベルの検査要求信号を印加しておく。この場合、スイッチング素子７の制御端７ａの電圧はローレベルの電圧となっており、スイッチング素子７は常にオフとなっている。その結果、検査結果出力端子３に第１抵抗１１を介してローレベルの信号が出力され、アンテナ接続状態判定回路２０の検査結果入力端子２３にローレベルの信号が入力されている。
【００２９】
このように、アンテナ検査回路１００は、検査要求入力端子２にハイレベルの検査要求信号を印加した時、アンテナ５１が接続されている場合にはアンテナ５１を介して検査結果出力端子３にローレベルの電圧を出力し、アンテナ５１が接続されていない場合には第１抵抗１１を介して検査結果出力端子３にハイレベルの電圧を供給するように構成した。そのため、給電点から接地点までの直流インピーダンスが０Ωであるアンテナ５１に対して接続状態を正確に検査することができる。
【００３０】
次に、スイッチング素子としてトランジスタ１７を採用した場合の、アンテナ検査回路２００及びアンテナ検査回路２００を内蔵した通信機器６０の構成について図３を用いて説明する。尚、通信機器６０におけるアンテナ検査回路２００以外及びアンテナ５１については、図１に示した通信機器４０の構成及び図２に示したアンテナ５１の構成と同一である。従って、通信機器６０内の通信機器４０と同一の構成要件については同一の符号を付与すると共に説明を省略する。
【００３１】
図３に示すように、アンテナ検査回路２００の内部は、第１抵抗１１と、第２抵抗１２と、第３抵抗１３と、スイッチング素子としてのトランジスタ１７とから構成されている。トランジスタ１７は、制御端としてベース１７ａを有し、入力端としてエミッタ１７ｂを有し、出力端としてコレクタ１７ｃを有したバイポーラ型のトランジスタである。
【００３２】
アンテナ検査回路２００では、検査要求入力端子２と検査結果出力端子３との間に第１抵抗１１を接続し、コレクタ１７ｃを検査結果出力端子３に接続し、エミッタ１７ｂとアンテナ接続入力端子１との間に第２抵抗１２を接続し、ベース１７ａと検査要求入力端子２との間に第３抵抗１３を接続した。
【００３３】
ここで、第１抵抗１１、第２抵抗１２及び第３抵抗１３の抵抗値は、トランジスタ１７が適切なスイッチング動作を行えるように、第２抵抗１２の抵抗値が第１抵抗１１の抵抗値より小さく設定され、第３抵抗１３の抵抗値が第２抵抗１２の抵抗値より大きく設定されている。例えば、第２抵抗１２の抵抗値は、トランジスタ１７がオンになった時、検査結果出力端子３における電圧、即ち第１抵抗１１と第２抵抗１２とによって分圧された電圧値が接地電圧に近い値になるように第１抵抗１１の抵抗値の約１／１０以下に設定される。また第３抵抗１３の抵抗値は、トランジスタ１７がオンとなった時の消費電流を抑えるために、第２抵抗１２の抵抗値の約１０倍以上に設定される。
【００３４】
アンテナ接続状態を検査する場合の、アンテナ検査回路２００の動作について図３及び図４を用いて説明する。
【００３５】
アンテナ接続状態を検査する場合、アンテナ接続状態判定回路２０の検査要求出力端子２２から検査要求入力端子２にハイレベルの検査要求信号を印加する。従って、この時、ベース１７ａの電圧はハイレベルの電圧となっている。
【００３６】
アンテナ接続端子４１にアンテナ５１が接続されている場合には、図２に示すアンテナ５１の給電点５１ｃから接地点５１ｄまでの直流インピーダンスが０Ωであるため、アンテナ接続端子４１は接地されている。そのため、エミッタ１７ｂは第２抵抗１２を介して接地される。また、ベース１７ａの電圧はハイレベルの電圧であるため、トランジスタ１７はオンとなる。従って、アンテナ接続端子４１にアンテナ５１が接続されている場合には、コレクタ１７ｃはほぼ接地電圧即ちローレベルとなり、検査結果出力端子３にローレベルの信号が出力される。
【００３７】
一方、アンテナ接続端子４１にアンテナ５１が接続されていない場合には、トランジスタ１７のエミッタ１７ｂは開放状態になっているため、ベース１７ａとエミッタ１７ｂとの間に電圧差は生じない。従って、アンテナ接続端子４１にアンテナ５１が接続されていない場合には、トランジスタ１７がオフとなる。そのため、コレクタ１７ｃには、第１抵抗１１を介して検査要求入力端子２に印加されたハイレベルの電圧が現れる。従って、検査結果出力端子３にハイレベルの信号が出力される。
【００３８】
尚、アンテナ接続状態を検査しない場合即ち通常の場合には、アンテナ接続状態判定回路２０の検査要求出力端子２２から検査要求入力端子２にローレベルの検査要求信号を印加する。この場合、トランジスタ１７のベース１７ａの電圧はローレベルの電圧となっているためトランジスタ１７は常にオフとなっている。そのため、コレクタ１７ｃには、第１抵抗１１を介して検査要求入力端子２に印加されたローレベルの電圧が現れる。従って、検査結果出力端子３にローレベルの信号が出力される。
【００３９】
以上述べた、アンテナ検査回路２００内のトランジスタ１７の動作と検査結果について図４の表に示す。
【００４０】
アンテナ接続状態を検査しない場合即ち通常の場合には、図４の表に示すように、検査要求入力端子２にローレベルの検査要求信号（Ｌｏｗ）が入力されている。この時、トランジスタ１７はオフとなり、検査結果出力端子３には、ローレベルの検査出力信号（Ｌｏｗ）が出力される。従って、アンテナ５１が接続されていても接続されていなくても、ローレベルの検査要求信号（Ｌｏｗ）が検査要求入力端子２に入力された場合には、検査結果出力端子３には、ローレベルの検査出力信号（Ｌｏｗ）が出力される。
【００４１】
アンテナ接続状態を検査する場合には、図４の表に示すように、検査要求入力端子２にハイレベルの検査要求信号（Ｈｉ）が入力される。ハイレベルの検査要求信号（Ｈｉ）が入力されている状態で、アンテナ５１が接続されている場合、トランジスタ１７はオンとなり、検査結果出力端子３には、ローレベルの検査出力信号（Ｌｏｗ）が出力される。また、ハイレベルの検査要求信号（Ｈｉ）が入力されている状態で、アンテナ５１が接続されていない場合、トランジスタ１７はオフとなり、検査結果出力端子３には、ハイレベルの検査出力信号（Ｈｉ）が出力される。
【００４２】
このように、アンテナ接続状態を検査する場合には、検査要求入力端子２にハイレベルの検査要求信号（Ｈｉ）を入力し、検査結果出力端子３における信号のレベルが、ローレベル（Ｌｏｗ）であった場合にはアンテナ５１が接続されていると判定できる。また、検査要求入力端子２にハイレベルの検査要求信号（Ｈｉ）を入力し、検査結果出力端子３における信号のレベルが、ハイレベル（Ｈｉ）であった場合にはアンテナ５１が接続されていないと判定できる。
【００４３】
ところで、通信機器６０が車載用の通信機器であった場合にはアンテナ接続端子４１に車載用バッテリーの電圧、例えば１２Ｖのバッテリー電圧が誤って印加される可能性がある。その場合、図３で示すアンテナ検査回路２００のアンテナ接続入力端子１に、通信機器６０の電源電圧Ｖｄｄ（例えば３．５Ｖや５Ｖ）を超える高電圧が印加されることになる。このような高電圧がそのまま通信機器６０内のアンテナ接続状態判定回路２０や通信回路３０に印加されてしまうと、各回路内の半導体素子等を破壊してしまうことになる。
【００４４】
しかしながら、アンテナ検査回路２００内のスイッチング素子は、トランジスタ１７で構成されていると共に、アンテナ接続入力端子１にはエミッタ１７ｂが接続され、検査結果出力端子３にはコレクタ１７ｃが接続されている。従って、アンテナ接続入力端子１と検査結果出力端子３との間に、カソードがアンテナ接続入力端子１に接続されたダイオードが挿入されているのと同等であると考えることができる。そのため、エミッタ１７ｂとコレクタ１７ｃとの間に逆方向の電圧が加えられた場合、例えば、アンテナ接続入力端子１に電源電圧Ｖｄｄを超える高電圧が印加された場合、この高電圧はトランジスタ１７によって阻止されることになる。
【００４５】
このように、アンテナ検査回路２００は、入力端としてエミッタ１７ｂを有し、出力端としてコレクタ１７ｃを有したバイポーラ型のトランジスタ１７をスイッチング素子として使用したので、通信機器６０のアンテナ接続端子４１に電源電圧Ｖｄｄを越えるような高電圧が誤って加えられた場合、この高電圧はトランジスタ１７によって阻止される。その結果、通信機器６０内の各回路に電源電圧Ｖｄｄを越えるような高電圧が印加されることがなく、通信機器６０内の各回路を保護することができる。
【００４６】
また、アンテナ検査回路２００は、回路構成部品として１本のトランジスタ１７と、第１抵抗１１、第２抵抗１２及び第３抵抗１３からなる３本の抵抗とを使用するだけであるため、アンテナ検査回路２００を小規模な回路構成で実現させることができる。
【００４７】
以上説明したように、本発明の実施形態に係るアンテナ検査回路は、アンテナが接続されている場合にはアンテナを介して検査結果出力端子にローレベルの電圧を出力し、アンテナが接続されていない場合には第１抵抗を介して検査結果出力端子にハイレベルの電圧を供給するように構成したので、給電点から接地点までの直流インピーダンスが０Ωであるアンテナに対して接続状態を正確に検査することができる。
【００４８】
本発明は上記の実施形態の記載に限定されず、その効果が発揮される態様で適宜変更して実施することができる。例えば、本発明のアンテナ検査回路には、図１に示される構成要素と等価な構成要素が含まれる。また、動作に支障をきたさない範囲で他の回路構成部品が含まれることがある。また、スイッチング素子として、バイポーラトランジスタに代えて電界効果トランジスタ等を用いることができる。
【符号の説明】
【００４９】
１        アンテナ接続入力端子
２        検査要求入力端子
３        検査結果出力端子
７        スイッチング素子
７ａ      制御端
７ｂ      入力端
７ｃ      出力端
１０      電源回路
１１      第１抵抗
１２      第２抵抗
１３      第３抵抗
１７      トランジスタ
１７ａ    ベース
１７ｂ    エミッタ
１７ｃ    コレクタ
２０      アンテナ接続状態判定回路
２２      検査要求出力端子
２３      検査結果入力端子
３０      通信回路
３１      高周波入出力端子
４０      通信機器
４１      アンテナ接続端子
４２      キャパシタ
５１      アンテナ
５１ａ    逆Ｆ型アンテナ
５１ｂ    アンテナ導体部
５１ｃ    給電点
５１ｄ    接地点
５１ｅ    開放端
１００    アンテナ検査回路
２００    アンテナ検査回路
【図１】
2015142278.tif 000003
【図２】
2015142278.tif 000004
【図３】
2015142278.tif 000005
【図４】
2015142278.tif 000006
【図５】
2015142278.tif 000007